(57)【特許請求の範囲】
【請求項１】
紫外線励起によって紫外線又は蛍光を発する物質を内部に含んだ蛍光板と、この蛍光板の面上に配置され、紫外線又は蛍光を透過する部材から成る基材の面に、紫外線又は蛍光を透過させない粘着剤で形成されていて、紫外線又は蛍光を通過させる隙間を有する粘着層を設けて構成された粘着シートを備えていることを特徴とする害虫捕獲シート。
【請求項２】
前記粘着シートは、複数枚の前記粘着シートを剥離可能に積層して形成されていることを特徴とする請求項１記載の害虫捕獲シート。
【請求項３】
前記粘着シートは、磁石、又は接着剤、又は穴と突起、又はその他機械的係止手段により前記蛍光板に取り付けられていることを特徴とする請求項１又は２に記載の害虫捕獲シート。
【請求項４】
前記粘着シートは、枠を備えたガイド部材により前記蛍光板に取り付けられていることを特徴とする請求項１又は２に記載の害虫捕獲シート。
【請求項５】
紫外線励起によって紫外線又は蛍光を発する物質を内部に含んだ蛍光板と、この蛍光板の面上に配置され、紫外線又は蛍光を透過する部材から成る基材の面に、紫外線又は蛍光を透過させない粘着剤で形成されていて、紫外線又は蛍光を通過させる隙間を有する粘着層を設けて構成された粘着シートを備えていて、粘着シートは帯状であって、蛍光板の面上に繰り出し可能にロールホルダーにロール状に収納されていることを特徴とする害虫捕獲シート。
【請求項６】
前記粘着シートは前記蛍光板に対して、隙間を設けて配置されていることを特徴とする請求項１ないし５のいずれか１項に記載の害虫捕獲シート。
【請求項７】
前記粘着シートは、前記基材の両面に前記粘着層を設けて構成されていることを特徴とする請求項６記載の害虫捕獲シート。
【請求項８】
紫外線励起によって紫外線又は蛍光を発する物質を内部に含んだ蛍光板の面に、紫外線又は蛍光を透過させない粘着剤で形成されていて、紫外線又は蛍光を通過させる隙間を有する粘着層を設けて構成されていることを特徴とする害虫捕獲シート。
【発明の詳細な説明】
【技術分野】
【０００１】
本発明は、蛾等の害虫を捕獲する害虫捕獲シートに関する。
【背景技術】
【０００２】
従来より、紫外線ランプ等の紫外線光を用いて蛾等の害虫を誘引し、蛾等の害虫を粘着材に粘着して捕獲する害虫捕獲器が知られている。
【０００３】
例えば、紫外線光を粘着材に照射し、粘着材が紫外線光を反射することによって粘着材面に害虫を誘引し、粘着材面で害虫を捕獲する害虫捕獲器が知られている（例えば、特許文献１参照）。
【０００４】
また、紫外線光を接着剤を表面に備えたシートに照射し、該シートが紫外線光を透過させることによってシート表面に害虫を誘引し、該シート表面で害虫を捕獲する害虫捕獲器が知られている（例えば、特許文献２参照）。
【０００５】
特許文献１の害虫捕獲器を図９に基づいて説明する。この害虫捕獲器は、ランプ担体３０に、紫外線ランプ３１と、紫外線ランプ３１を上方から覆うように反射板３２が取り付けられ、ランプ担体３０下方から、粘着材３３を片面に備えた粘着部材３４が吊り下げられている。紫外線ランプ３１を点灯すると、紫外線光が粘着材３３面に照射される。このとき、紫外線光は粘着材３３面で反射され、反射された紫外線光によって蠅や蛾等の害虫が誘引され、害虫は粘着材３３面に捕獲される。
【先行技術文献】
【特許文献】
【０００６】
【特許文献１】特開平５−１６８３８６号公報
【特許文献２】特開２００８−２９５３１２号公報
【発明の概要】
【発明が解決しようとする課題】
【０００７】
このように、紫外線光を粘着材面で反射する害虫捕獲器においては、紫外線ランプ３１からの紫外線光を粘着材３３面に照射するため、紫外線光を粘着材３３面全面に均等な強さで照射することができず、粘着材３３面全面を害虫の捕獲に利用することができなかった。このことは、特許文献２に記載の紫外線光を透過させる害虫捕獲器においても同様のことがいえる。
【０００８】
本発明は、粘着層を備えた粘着シートの全面で蛾などの害虫を捕獲することができる害虫捕獲シートを提供することを目的とする。
【課題を解決するための手段】
【０００９】
本発明の害虫捕獲シートは、紫外線励起によって紫外線又は蛍光を発する物質を内部に含んだ蛍光板と、この蛍光板の面上に配置され、紫外線又は蛍光を透過する部材から成る基材の面に、紫外線又は蛍光を透過させない粘着剤で形成されていて、紫外線又は蛍光を通過させる隙間を有する粘着層を設けて構成された粘着シートを備えていることを特徴とする。
【００１０】
粘着シートは、複数枚の粘着シートを剥離可能に積層して形成することができる。
【００１１】
粘着シートは、磁石、又は接着剤、又は穴と突起、又はその他機械的係止手段により蛍光板に取り付けることができる。
【００１２】
粘着シートは、枠を備えたガイド部材により蛍光板に取り付けることができる。
【００１３】
また、本発明の害虫捕獲シートは、紫外線励起によって紫外線又は蛍光を発する物質を内部に含んだ蛍光板と、この蛍光板の面上に配置され、紫外線又は蛍光を透過する部材から成る基材の面に、紫外線又は蛍光を透過させない粘着剤で形成されていて、紫外線又は蛍光を通過させる隙間を有する粘着層を設けて構成された粘着シートを備えていて、粘着シートは帯状であって、蛍光板の面上に繰り出し可能にロールホルダーにロール状に収納されていることを特徴とする。
【００１４】
粘着シートは蛍光板に対して、隙間を設けて配置することができる。
【００１５】
粘着シートは、基材の両面に粘着層を設けて構成することができる。
【００１８】
本発明の害虫捕獲シートは、紫外線励起によって紫外線又は蛍光を発する物質を内部に含んだ蛍光板の面に、紫外線又は蛍光を透過させない粘着剤で形成されていて、紫外線又は蛍光を通過させる隙間を有する粘着層を設けて構成されていることを特徴とする。
【発明の効果】
【００１９】
本発明は、紫外線励起によって紫外線又は蛍光を発する物質を用い、この物質が紫外線励起により発する紫外線又は蛍光により蛾等の害虫を誘引し、蛾等の害虫を粘着シートによって捕獲するものである。したがって、この物質を、蛍光体内部や蛍光体表面、また、粘着シート表面全体に分散、配置することができるので、害虫捕獲シートの粘着シート全面で蛾等の害虫を効率よく捕獲することができる。また、本発明は、粘着層に、紫外線又は蛍光を通過させる隙間を設けているため、粘着層が、紫外線又は蛍光を透過させない粘着剤で形成されていても、紫外線又は蛍光は、粘着シートを通過することができるので、蛾等の害虫を誘引し、蛾等の害虫を粘着シートによって捕獲することができる。
【図面の簡単な説明】
【００２０】
【図１】（ａ）は、本発明の害虫捕獲シートの第１の実施形態の正面図であり、（ｂ）は、本発明の害虫捕獲シート１の第１の実施形態の右側面図である。
【図２】本発明の害虫捕獲シートに用いられる粘着シートの実施形態を示す図であり、（ａ）は、粘着シートの実施形態の断面図であり、（ｂ）は、粘着層が、紫外線又は蛍光を透過させない粘着剤で形成されている場合の粘着シートの実施形態の正面図である。
【図３】（ａ）（ｂ）は、本発明の害虫捕獲シートに用いられる粘着シートを、蛍光板に取り付ける手段の第１の例の正面図である。
【図４】（ａ）（ｂ）は、本発明の害虫捕獲シートに用いられる粘着シートを蛍光板に取り付ける手段の第２の例の正面図である。
【図５】本発明の害虫捕獲シートに用いられる粘着シートを蛍光板に取り付ける手段の第３の例の斜視図である。
【図６】（ａ）（ｂ）（ｃ）は、本発明の害虫捕獲シートの第２の実施形態の概略正面図である。
【図７】（ａ）（ｂ）（ｃ）は、本発明の害虫捕獲シートの第１、２の実施形態の蛍光板と粘着シートの取付位置の関係の例を示す説明図である。
【図８】（ａ）（ｂ）は、本発明の害虫捕獲シートの使い方の例を示す説明図である。
【図９】従来の害虫捕獲器を示す構成図である。
【発明を実施するための形態】
【００２１】
本発明の害虫捕獲シート１の第１の実施形態を図１に基づき説明する。なお、図面の説明においては、同一要素については同一符号を付し、重複する説明は省略する。
【００２２】
図１（ａ）は、本発明の害虫捕獲シート１の第１の実施形態の正面図であり、図１（ｂ）は、本発明の害虫捕獲シート１の第１の実施形態の右側面図である。本発明の第１の実施形態の害虫捕獲シート１は、紫外線励起によって紫外線又は蛍光を発する物質を内部に含んだ蛍光板２と、この蛍光板２の面に取り付けられた粘着シート３を備えている。
【００２３】
蛍光板２は内部に紫外線励起によって紫外線又は蛍光を発する物質を含んでいるが、その物質としては、例えば、チオフェン誘導体（BBOT）、ベンゾ  ペリレン（Benzo   perylene）、ペリレン（Perylene）、エトキシ−ベンゾ  キサンテン（Ethoxy-benzo  xanthene）、フェニル  フルオランテン（Phenyl  fluoranthene）、テトラフェニル  ピレン（Tetraphenyl  pyrene）、テトラセン（Tetrasen）、フェニル  アントラセン（Phenyl  anthracene）、ジナフチル  アントラセン（Dinaphthyl  anthracene）、メチル  アントラセン（Methyl  anthracene）、アントラセン（Anthracene）、アクリジン（Acridine）などがある。
【００２４】
本発明の第１の実施形態の害虫捕獲シート１に用いられる粘着シート３の実施形態を図２に基づいて説明する。図２（ａ）は、粘着シート３の実施形態の概略断面図であり、図２（ｂ）は、粘着層５が蛍光を通さない粘着剤で形成されている場合の粘着シート３の実施形態の正面図である。
【００２５】
粘着シート３は、図２（ａ）に示すように、基材４の一方の面に、蛾等の害虫を捕獲する粘着層５を設けて構成されている。基材４は、紫外線又は蛍光を透過する部材、例えば透明な部材、網構造を有する部材等から形成されている。これにより、紫外線又は蛍光は粘着シート３を透過することができる。粘着層５が、紫外線又は蛍光を透過させない粘着剤で形成されている場合は、図２（ｂ）に示すように、例えば、粘着層５を格子状に形成する等して、粘着層５を粘着シート３の基材４の一面全面に設けない。粘着層５は、基材４の両面に設けてもよい。
【００２６】
粘着シート３の粘着層５の表面には、不使用時にごみ等が粘着シート３表面に付着しないようにするための剥離シートを備えてもよい。粘着シート３の四隅の一つには、図１（ａ）に示すように、粘着シート３を剥がしやすくするための粘着力が小さい又は粘着力を有しない剥離部６を設けてもよい。
【００２７】
図１（ａ）（ｂ）に示した本発明の第１の実施形態の害虫捕獲シート１では、蛍光板２の面に取り付けられた粘着シート３は、複数枚の粘着シート３を剥離可能に積層して形成されている。複数枚の各粘着シート３は、各々を必要に応じて接着剤で剥離可能に接着してもよい。粘着シート３は１枚でもよい。
【００２８】
粘着シート３を蛍光板２に取り付ける手段を図３〜図５に基づき説明する。
【００２９】
図３（ａ）（ｂ）は、粘着シート３を蛍光板２に取り付ける手段として、磁石１１を用いた例を示している。図３（ａ）に示す例では、磁石１１を粘着シート３の四隅に配置し、蛍光板２の面に強磁性体を設けるなどして、粘着シート３を蛍光板２に取り付けている。図３（ｂ）に示す例では、蛍光板２、２の間に紫外線ＬＥＤ等の光源２０を配置し、蛍光板２、２の面に強磁性体を設けるなどして、磁石１１を粘着シート３の四隅に配置し、粘着シート３を蛍光板２に取り付けている。
【００３０】
図４（ａ）（ｂ）は、粘着シート３を蛍光板２に取り付ける手段として、のり等の接着剤１２を用いた例を示している。図４（ａ）に示す例では、粘着シート３の上部にのみのり等の接着剤１２を塗布しており、図４（ｂ）に示す例では、粘着シート３の上部と下部にのり等の接着剤１２を塗布している。
【００３１】
図３（ａ）（ｂ）、図４（ａ）（ｂ）に示す例では、粘着シート３を蛍光板２に取り付ける手段として、磁石やのり等の接着剤を用いているが、粘着シート３に穴を設け、蛍光板２前面に突起を設け、該穴に該突起を嵌め込んで粘着シート３を蛍光板２に取り付けてもよい。また、粘着シート３を蛍光板２に取り付ける手段として、他の機械的係止手段を用いてもよい。
【００３２】
図５には、粘着シート３を蛍光板２に取り付ける手段として、枠１５を備えたガイド部材１３を用いた例を示している。ガイド部材１３は、底板１４に複数の枠１５を、間隔をあけて取り付けて構成している。枠１５を取り付ける間隔は、蛍光板２、粘着シート３を嵌め込むことができる間隔である。蛍光板２を、ガイド部材１３の中央部に、粘着シート３を、ガイド部材１３の両側に嵌め込んで、粘着シート３を蛍光板２の両側に配置する。粘着シート３は蛍光板２の片方の側のみに配置してもよい。
【００３３】
本発明の害虫捕獲シート１の第２の実施形態を図６に基づき説明する。図６（ａ）（ｂ）（ｃ）には、粘着シート３を帯状とし、この帯状の粘着シート３を、繰り出し可能にロールホルダー１６、１８、１９にロール状に収納する例を示している。
【００３４】
図６（ａ）に示す例では、粘着シート３を巻き取るためのロールホルダー１６、１７を備えている。ロールホルダー１６、１７間には蛍光板２が配置されている。粘着シート３はロールホルダー１６にロール状に収納されており、使用時には粘着シート３が蛍光板２の面上に繰り出され、粘着シート３の交換時は、交換部分の粘着シート３がロールホルダー１７に巻き取られ、一方のロールホルダー１６から新しい粘着シ−ト３が蛍光板２の面上に繰り出される。
【００３５】
図６（ｂ）に示す例では、粘着シート３を巻き取るためのロールホルダー１８を備えている。ロールホルダー１８の一方側には蛍光板２が配置されている。粘着シート３は、蛍光板２の周囲を一周してロールホルダー１８に巻き取られている。ロールホルダー１８を回転することにより、蛍光板２の面上に新しい粘着シート３が繰り出され、交換部分の粘着シート３はロールホルダー１８に巻き取られる。
【００３６】
図６（ｃ）に示す例では、粘着シート３をロール状に収納するためのロールホルダー１９を備えている。ロールホルダー１９の一方側には蛍光板２が配置されている。粘着シート３はロールホルダー１９にロール状に収納されており、使用時には粘着シート３が蛍光板２の面上に繰り出され、粘着シート３の交換時は、交換部分の粘着シート３がカットされ、一方のロールホルダー１６から新しい粘着シ−ト３が蛍光板２の面上に繰り出される。粘着シート３の使用時、粘着シート３のカットされた端部は、蛍光板２に図２に示すような手段で固定されることが好ましい。
【００３７】
図６（ａ）（ｂ）（ｃ）に示される本発明の第２の実施形態の蛍光板２内部には、第１の実施形態と同じ紫外線励起によって紫外線又は蛍光を発する物質を含んでおり、また、本発明の第２の実施形態の粘着シート３は、第１の実施形態の粘着シート３と同じ構造のものでよい。
【００３８】
本発明の害虫捕獲シート１の第１、２の実施形態の蛍光板２と粘着シート３の取付位置の関係の例を、図７（ａ）（ｂ）（ｃ）に基づいて説明する。この例においては、蛍光板２は、不透明で、前面（紫外線ＬＥＤ等の光源側）のみに紫外線又は蛍光を発するものである。
【００３９】
図７（ａ）に示す例では、蛍光板２と粘着シート３との間に隙間がなく、粘着層５は粘着シート３の片面に設けられている。図７（ｂ）に示す例では、蛍光板２と粘着シート３との間に隙間があり、粘着層５は粘着シート３の片面に設けられている。図７（ｃ）に示す例では、蛍光板２と粘着シート３との間に隙間があり、粘着層５は粘着シート３の両面に設けられている。この例では、蛍光板２と粘着シート３との間に、蛾等の害虫が右往左往する隙間が存在し、粘着シート３の両面の粘着層５で害虫を捕獲することができる。粘着シート３には穴を設けてもよい。
【００４０】
図７（ａ）（ｂ）（ｃ）に示す例においては、粘着層５の粘着剤が紫外線を透過させないものであるときは、図２（ｂ）に示すように、粘着層５を格子状に形成する等して、粘着層５を粘着シート３の基材４の一面全面に設けない。  
【００４１】
本発明の第１、第２の実施形態の害虫捕獲シート１においては、蛍光板２に紫外線ＬＥＤ等から紫外線（例えば３６０ｎｍ〜４００ｎｍの紫外線）を放射すると、蛍光板２の内部に含んでいる物質が紫外線励起によって紫外線又は蛍光を発し、この発せられた紫外線又は蛍光が粘着シート３を透過して外部に発せられる。この紫外線又は蛍光は蛾等の害虫を誘引し、蛾等の害虫は害虫捕獲シート１の粘着シート３に捕獲される。このとき、害虫捕獲シート１の蛍光板２は、全面において紫外線又は蛍光を発するから、害虫捕獲シート１の粘着シート３全面で蛾等の害虫を効率よく捕獲することができる。また、蛾等の害虫が捕獲され、シート等を取り替える場合、粘着シート３のみを取り替えればよく、蛍光板２を取り替えなくてもよいので、コストを低減することができる。
【００４２】
以上、害虫捕獲シート１が、紫外線励起によって紫外線又は蛍光を発する物質を内部に含んだ蛍光板２と、この蛍光板２の面上に配置された粘着シート３を備えている実施態様を示してきたが、本発明の害虫捕獲シート１の他の実施形態としては次のものがある。
【００４３】
基材４の面に、紫外線励起によって紫外線又は蛍光を発する物質を内部に含んだ粘着層５を設けて粘着シート３を構成し、この粘着シート３を害虫捕獲シート１とする。この場合は、図１〜図７に基づいて説明した害虫捕獲シート１の蛍光板２は不要になる。紫外線励起によって紫外線又は蛍光を発する物質は、第１の実施形態で用いた物質と同じであり、また、粘着シート３は、第１の実施形態の粘着シート３と同じ構造のものでよい。この実施形態では、害虫捕獲シート１を帯状とし、この帯状の害虫捕獲シート１を、繰り出し可能にロールホルダー１６、１８、１９にロール状に収納し、図６（ａ）（ｂ）（ｃ）に示す形態で使用することができる。害虫捕獲シート１に紫外線ＬＥＤ等から紫外線（例えば３６０ｎｍ〜４００ｎｍの紫外線）を放射すると、粘着層５から紫外線又は蛍光が発せられ、この紫外線又は蛍光は蛾等の害虫を誘引し、害虫は害虫捕獲シート１である粘着シート３に捕獲される。
【００４４】
また、蛍光板２自体に粘着層５を設けて害虫捕獲シート１を構成してもよい。この場合は、図１〜図７に基づいて説明した害虫捕獲シート１の粘着シート３は不要になる。蛍光板２内部には、第１の実施形態と同じ紫外線励起によって紫外線又は蛍光を発する物質を含んでいる。害虫捕獲シート１に紫外線ＬＥＤ等から紫外線（例えば３６０ｎｍ〜４００ｎｍの紫外線）を放射すると、蛍光板２から紫外線又は蛍光が発せられ、この紫外線又は蛍光は蛾等の害虫を誘引し、害虫は害虫捕獲シート１である蛍光板２に捕獲される。
【００４５】
本発明の害虫捕獲シート１の使い方を図８に基づいて説明する。
【００４６】
図８（ａ）に示す例では、害虫捕獲シート１を天井から吊り下げている。紫外線ＬＥＤ等の光源（害虫捕獲シート１自体に設けてもよく、害虫捕獲シート１と別体に設けてもよい。）から紫外線（例えば３６０ｎｍ〜４００ｎｍの紫外線）を放射すると、害虫捕獲シート１全面から紫外線又は蛍光が発せられ、この紫外線又は蛍光は蛾等の害虫を誘引し、害虫は害虫捕獲シート１全面で効率よく捕獲される。
【００４７】
図８（ｂ）に示す例では、複数個の害虫捕獲シート１を植物の上方に立設し、この害虫捕獲シートの間に各々紫外線ＬＥＤ等の光源２０が設置されている。紫外線ＬＥＤ等の光源２０の四方に害虫捕獲シート１を設けてもよく、害虫捕獲シート１の設置場所は適宜設定することができる。紫外線ＬＥＤ等の光源２０から紫外線（例えば３６０ｎｍ〜４００ｎｍの紫外線）を放射すると、害虫捕獲シート１全面から紫外線又は蛍光が発せられ、この紫外線又は蛍光は植物に卵を産み付けに飛んできた害虫を誘引し、害虫は害虫捕獲シート１全面で効率よく捕獲される。
【符号の説明】
【００４８】
１…害虫捕獲シート、２…蛍光板、３…粘着シート、４…基材、５…粘着層、６…剥離部、１１…磁石、１２…接着剤、１３…ガイド部材、１４…底板、１５…枠、１６、１７、１８、１９…ロールホルダー、２０…光源。
【図１】
0005216054.tif 000002
【図２】
0005216054.tif 000003
【図３】
0005216054.tif 000004
【図４】
0005216054.tif 000005
【図５】
0005216054.tif 000006
【図６】
0005216054.tif 000007
【図７】
0005216054.tif 000008
【図８】
0005216054.tif 000009
【図９】
0005216054.tif 000010